(57)【要約】【課題】小形でかつ高圧流体にも対応できる四方弁機能を有する切換弁装置11を提供する。【解決手段】弁本体20に１つの流入口25、２つの流入出口27，28および１つの流出口26を設ける。流入口25に対する２つの流入出口27，28の接続を切り換える第１の三方電磁弁21を設ける。流出口26に対する２つの流入出口27，28の接続を切り換える第２の三方電磁弁22を設ける。第１の三方電磁弁21と第２の三方電磁弁22とにより、冷媒回路12における冷房回路と暖房回路とを切り換える。四方弁機能を具備しながら小形にでき、高圧流体の取り扱いにも容易に対応できる。【選択図】図１
2007113617.tif 000002
【特許請求の範囲】
【請求項１】
１つの流入口、この流入口に連通する２つの流入出口、これら２つの流入出口に連通する１つの流出口を有する弁本体と、
前記流入口に対して２つの流入出口のうちの一方を接続させ他方を閉止するように、流入口に対する２つの流入出口の接続を切り換える第１の三方電磁弁と、
前記流出口に対して２つの流入出口のうちの前記流入口に接続されていない他方を接続させ前記流入口に接続された一方を閉止するように、流出口に対する２つの流入出口の接続を切り換える第２の三方電磁弁と
を具備していることを特徴とする切換弁装置。
【請求項２】
第１の三方電磁弁と第２の三方電磁弁とは弁本体に対して反対向きに設けられている
ことを特徴とする請求項１記載の切換弁装置。
【請求項３】
高圧側の１つの流入口、この流入口に連通する２つの流入出口、これら２つの流入出口に連通する低圧側の１つの流出口を有する弁本体と、
前記流入口に対して２つの流入出口のうちの一方を接続させ他方を閉止するように、流入口に対する２つの流入出口の接続を切り換える三方電磁弁と、
前記低圧側の流出口と前記２つの流入出口のうちの前記流入口に接続された高圧側の流入出口との差圧により、流出口に対して２つの流入出口のうちの流入口に接続されていない他方を接続させ流入口に接続された一方を閉止するように接続を切り換える差圧切換弁と
を具備していることを特徴とする切換弁装置。
【請求項４】
弁本体には、三方電磁弁の位置に対応して２つの各流入出口に連通する一対の弁座が同軸上に設けられ、
三方電磁弁は、ロッドで同軸上に連結された一対の弁体を有し、これら一対の弁体のうちの一方の弁体が一方の弁座を開放するときに他方の弁体が他方の弁座を閉止する
ことを特徴とする請求項１ないし３いずれか一記載の切換弁装置。
【発明の詳細な説明】
【技術分野】
【０００１】
本発明は、四方切換機能を有する切換弁装置に関する。
【背景技術】
【０００２】
従来、空調機器に用いられる冷媒回路では、冷房回路と暖房回路とを切り換えるための四方弁が用いられている。
【０００３】
この四方弁は、主弁と、この主弁を動作させるパイロット弁とを備え、主弁が圧縮機、コンデンサ、エバポレータによって構成される冷媒回路に接続されている。そして、パイロット弁を駆動することによって主弁を操作し、主弁によって冷媒回路を流れる冷媒の方向を切り換えて、冷房回路と暖房回路とを切り換える。主弁は、弁ハウジングと、この弁ハウジング内に設けられかつ弁ハウジングの軸方向に一直線上に並んだ３つの流体ポートを有した弁座と、弁座上を摺動する弁体とを有し、弁体を弁座上で摺動させて、弁体の摺動面に設けられた凹部で隣接する２つの流体ポートを選択的に覆って連通させるようにしている。また、パイロット弁も主弁と同様の構成を有している（例えば、特許文献１参照。）。
【特許文献１】特開２００５−１１３９９０号公報（第５−７頁、図１）
【発明の開示】
【発明が解決しようとする課題】
【０００４】
しかしながら、従来の四方弁は、主弁とともにパイロット弁も必要とし、しかも、その主弁は、弁ハウジングの軸方向に一直線上に並んだ３つの流体ポートを有した弁座上で弁体を摺動させて切り換える構造であるので、大形である問題がある。
【０００５】
また、主弁の弁構造の弁座と弁体との閉止性能では、例えばＣＯ２冷凍機などの高圧の冷媒の場合には対応できない問題がある。
【０００６】
本発明は、このような点に鑑みなされたもので、小形でかつ高圧流体にも対応できる四方弁機能を有する切換弁装置を提供することを目的とする。
【課題を解決するための手段】
【０００７】
請求項１記載の切換弁装置は、１つの流入口、この流入口に連通する２つの流入出口、これら２つの流入出口に連通する１つの流出口を有する弁本体と、前記流入口に対して２つの流入出口のうちの一方を接続させ他方を閉止するように、流入口に対する２つの流入出口の接続を切り換える第１の三方電磁弁と、前記流出口に対して２つの流入出口のうちの前記流入口に接続されていない他方を接続させ前記流入口に接続された一方を閉止するように、流出口に対する２つの流入出口の接続を切り換える第２の三方電磁弁とを具備しているものである。
【０００８】
請求項２記載の切換弁装置は、請求項１記載の切換弁装置において、第１の三方電磁弁と第２の三方電磁弁とは弁本体に対して反対向きに設けられているものである。
【０００９】
請求項３記載の切換弁装置は、高圧側の１つの流入口、この流入口に連通する２つの流入出口、これら２つの流入出口に連通する低圧側の１つの流出口を有する弁本体と、前記流入口に対して２つの流入出口のうちの一方を接続させ他方を閉止するように、流入口に対する２つの流入出口の接続を切り換える三方電磁弁と、前記低圧側の流出口と前記２つの流入出口のうちの前記流入口に接続された高圧側の流入出口との差圧により、流出口に対して２つの流入出口のうちの流入口に接続されていない他方を接続させ流入口に接続された一方を閉止するように接続を切り換える差圧切換弁とを具備しているものである。
【００１０】
請求項４記載の切換弁装置は、請求項１ないし３いずれか一記載の切換弁装置において、弁本体には、三方電磁弁の位置に対応して２つの各流入出口に連通する一対の弁座が同軸上に設けられ、三方電磁弁は、ロッドで同軸上に連結された一対の弁体を有し、これら一対の弁体のうちの一方の弁体が一方の弁座を開放するときに他方の弁体が他方の弁座を閉止するものである。
【発明の効果】
【００１１】
請求項１記載の切換弁装置によれば、１つの流入口、２つの流入出口および１つの流出口を有する弁本体に、流入口に対する２つの流入出口の接続を切り換える第１の三方電磁弁と、流出口に対する２つの流入出口の接続を切り換える第２の三方電磁弁とを設けることにより、四方弁機能を具備できるので、従来の四方弁に比べて小形にでき、高圧流体の取り扱いにも容易に対応できる。
【００１２】
請求項２記載の切換弁装置によれば、請求項１記載の切換弁装置の効果に加えて、第１の三方電磁弁と第２の三方電磁弁とは弁本体に対して反対向きに設けたので、小形化に際して例えば三方電磁弁が有する電磁コイル同士が干渉するのを防止し、より小形にできる。
【００１３】
請求項３記載の切換弁装置によれば、高圧側の１つの流入口、２つの流入出口および低圧側の１つの流出口を有する弁本体に、流入口に対する２つの流入出口の接続を切り換える三方電磁弁と、低圧側の流出口と２つの流入出口のうちの流入口に接続された高圧側の流入出口との差圧により、流出口に対する２つの流入出口の接続を切り換える差圧切換弁とを設けることにより、四方弁機能を具備できるので、従来の四方弁に比べて小形にでき、高圧流体の取り扱いにも容易に対応できる。
【００１４】
請求項４記載の切換弁装置によれば、請求項１ないし３いずれか一記載の切換弁装置の効果に加えて、三方電磁弁がロッドで同軸上に連結された一対の弁体を有し、これら一対の弁体のうちの一方の弁体が一方の弁座を開放するときに他方の弁体が他方の弁座を閉止するので、閉止性能が高く、高圧流体の取り扱いに確実に対応できる。
【発明を実施するための最良の形態】
【００１５】
以下、本発明の一実施の形態を図面を参照して説明する。
【００１６】
図１ないし図４に第１の実施の形態を示し、図１は切換弁装置の三方電磁弁に対する非通電時の断面図、図２は切換弁装置における図１のＡ−Ａ断面図、図３は切換弁装置における図１のＢ−Ｂ断面図、図４は切換弁装置の三方電磁弁に対する通電時の断面図である。
【００１７】
図において、11は切換弁装置で、この切換弁装置11は、電磁切換式で四方弁機能を有し、例えば空調機器の冷媒回路12に用いられている。この冷媒回路12は、圧縮機13、室外機14、膨張弁15および室内機16を有し、切換弁装置11により、圧縮機13から室外機14、膨張弁15および室内機16を経て圧縮機13に戻る順に流体である冷媒が流れる冷房回路と、圧縮機13から室内機16、膨張弁15および室外機14を経て圧縮機13に戻る順に冷媒が流れる暖房回路とを切り換える。
【００１８】
そして、切換弁装置11は、弁本体20、この弁本体20に設置された第１の三方電磁弁21および第２の三方電磁弁22を備えている。第１の三方電磁弁21と第２の三方電磁弁22とは、同一構造で構成されているが、弁本体20に対して反対向きに設けられている。
【００１９】
弁本体20の一端には圧縮機13からの高圧冷媒が流入する１つの流入口25が形成され、弁本体20の他端には膨張弁15を通過して低圧となって圧縮機13に戻る低圧冷媒が流出する１つの流出口26が形成され、弁本体20の流入口25および流出口26が形成された両端方向に対して交差する両側面には室外機14と室内機16とに接続される２つの流入出口27，28が形成されている。弁本体20の内部には流入口25と流出口26とを連通する２つの中間通路29，30が形成され、一方の中間通路29の中間部に一方の流入出口27が連通され、他方の中間通路30の中間部に他方の流入出口28が連通されている。
【００２０】
弁本体20の一端側で第１の三方電磁弁21の配置位置には、弁本体20の各口25〜28が形成された周面に対して交差する両面である上面側および下面側に円筒状の開口部31，32が同軸上に形成され、これら開口部31，32に流入口25が流入通路33を通じて連通され、一方の開口部31の軸中心位置に一方の中間通路29が連通され、他方の開口部32の軸中心位置に他方の中間通路30が連通されている。各開口部31，32に軸中心位置に連通する各中間通路29，30には第１の三方電磁弁21によって開閉される弁座34，35が同軸上に形成されている。
【００２１】
弁本体20の他端側で第２の三方電磁弁22の配置位置には、弁本体20の各口25〜28が形成された周面に対して交差する両面である下面側および上面側に円筒状の開口部36，37が同軸上に形成され、これら開口部36，37の軸中心位置に流出口26が流出通路38を介して連通され、一方の開口部36に他方の中間通路30が連通され、他方の開口部37に一方の中間通路29が連通されている。各開口部36，37に軸中心位置に連通する流出通路38の各連通部分には第２の三方電磁弁22によって開閉される弁座39，40が同軸上に形成されている。
【００２２】
また、第１の三方電磁弁21は、弁本体20の各開口部31，32に円筒状のガイド43，44が嵌合され、各ガイド43，44内には各弁座34，35に接離するボールで構成される弁体45，46を備えたプランジャ47，48が軸方向に移動可能に配置されている。これらプランジャ47，48は、弁体45，46のうちの一方が弁座34，35のうちの一方を閉じるときに弁体45，46のうちの他方が弁座34，35のうちの他方を開くように、複数のロッド49によって一体に移動するように連結されている。
【００２３】
一方のガイド43の端部に固定鉄心50が固着され、他方のガイド44の端部に固定部材51が固着され、固定鉄心50と可動鉄心であるプランジャ47との間、および固定部材51とプランジャ48との間に、それぞれプランジャ47，48を弁座34，35へ向けて押圧する圧縮スプリング52，53が配置されている。
【００２４】
一方のガイド43および固定鉄心50の周囲には、通電時に圧縮スプリング52の付勢に抗して可動鉄心であるプランジャ47を固定鉄心50に吸着させる電磁コイル54が嵌着されている。
【００２５】
また、第２の三方電磁弁22は、弁本体20の各開口部36，37に円筒状のガイド57，58が嵌合され、各ガイド57，58内には各弁座39，40に接離するボールで構成される弁体59，60を備えたプランジャ61，62が軸方向に移動可能に配置されている。これらプランジャ61，62は、弁体59，60のうちの一方が弁座39，40のうちの一方を閉じるときに弁体59，60のうちの他方が弁座39，40のうちの他方を開くように、流出通路38に貫通配置されたロッド63によって一体に移動するように連結されている。
【００２６】
一方のガイド57の端部に固定鉄心64が固着され、他方のガイド58の端部に固定部材65が固着され、固定鉄心64と可動鉄心であるプランジャ61との間、および固定部材65とプランジャ62との間に、それぞれプランジャ61，62を弁座39，40へ向けて押圧する圧縮スプリング66，67が配置されている。
【００２７】
一方のガイド57および固定鉄心64の周囲には、通電時に圧縮スプリング66の付勢に抗して可動鉄心であるプランジャ61を固定鉄心64に吸着させる電磁コイル68が嵌着されている。
【００２８】
次に、第１の実施の形態の切換弁装置11の作用を説明する。
【００２９】
冷媒回路12で冷房回路を構成する場合には、図１に示すように、切換弁装置11の各三方電磁弁21，22を非通電状態とする。
【００３０】
非通電状態の第１の三方電磁弁21では、圧縮スプリング52の付勢により、一方の弁体45が弁座34に接触して閉止し、他方の弁体46が弁座35から離反して開放する。これにより、流入口25と一方の中間通路29との連通を遮断し、流入口25と他方の中間通路30とを連通する。
【００３１】
非通電状態の第２の三方電磁弁22では、圧縮スプリング66の付勢により、一方の弁体59が弁座39に接触して閉止し、他方の弁体60が弁座40から離反して開放する。これにより、一方の中間通路29と流出口26とを連通し、他方の中間通路30と流出口26との連通を遮断する。
【００３２】
そして、圧縮機13の運転により、圧縮機13で圧縮された冷媒が、切換弁装置11の流入口25、他方の中間通路30および他方の流入出口28を通じて、図２に示すように室外機14、膨張弁15および室内機16の順に流れた後、切換弁装置11の一方の流入出口27、一方の中間通路29および流出口26を経て圧縮機13に戻るように循環する。
【００３３】
また、冷媒回路12で暖房回路を構成する場合には、図４に示すように、切換弁装置11の各三方電磁弁21，22に通電する。
【００３４】
通電状態の第１の三方電磁弁21では、電磁コイル54の励磁により、圧縮スプリング52の付勢に抗してプランジャ47を固定鉄心50に吸着し、一方の弁体45が弁座34から離反して開放し、他方の弁体46が弁座35に接触して閉止する。これにより、流入口25と一方の中間通路29とを連通し、流入口25と他方の中間通路30との連通を遮断する。
【００３５】
通電状態の第２の三方電磁弁22では、電磁コイル68の励磁により、圧縮スプリング66の付勢に抗してプランジャ61を固定鉄心64に吸着し、一方の弁体59が弁座39から離反して開放し、他方の弁体60が弁座40に接触して閉止する。これにより、一方の中間通路29と流出口26との連通を遮断し、他方の中間通路30と流出口26とを連通する。
【００３６】
そして、圧縮機13の運転により、圧縮機13で圧縮された冷媒が、切換弁装置11の流入口25、一方の中間通路29および一方の流入出口27を通じて、室内機16、膨張弁15および室外機14の順に流れた後（図２に示す破線矢印と逆方向に流れる）、切換弁装置11の他方の流入出口28、他方の中間通路30および流出口26を経て圧縮機13に戻るように循環する。
【００３７】
このように、切換弁装置11では、１つの流入口25、２つの流入出口27，28および１つの流出口26を有する弁本体20に、流入口25に対する２つの流入出口27，28の接続を切り換える第１の三方電磁弁21と、流出口26に対する２つの流入出口27，28の接続を切り換える第２の三方電磁弁22とを設けることにより、四方弁機能を具備できるので、従来の四方弁に比べて小形にでき、高圧冷媒の取り扱いにも容易に対応できる。
【００３８】
第１の三方電磁弁21と第２の三方電磁弁22とは弁本体20に対して反対向きに設けたので、小形化に際して各三方電磁弁21，22が有する電磁コイル54，68同士が干渉するのを防止し、より小形にできる。
【００３９】
高圧冷媒の流路を切り換える流入口25側の第１の三方電磁弁21については、プランジャ47，48を介してロッド49で同軸上に連結されたボール体で構成される一対の弁体45，46を有し、これら弁体45，46のうちの一方が弁座34，35のうちの一方を開放するときに一対の弁体45，46のうちの他方が弁座34，35のうちの他方を閉止するので、閉止性能が高く、高圧冷媒の取り扱いに確実に対応できる。
【００４０】
第１の三方電磁弁21よりは低圧である低圧冷媒の流路を切り換える第２の三方電磁弁22についても、第１の三方電磁弁21と同様の構成であり、同様の作用効果を奏する。
【００４１】
次に、図５ないし図８に第２の実施の形態を示し、図５は切換弁装置の三方電磁弁に対する非通電時の断面図、図６は切換弁装置における図５のＣ−Ｃ断面図、図７は切換弁装置における図５のＤ−Ｄ断面図、図８は切換弁装置の三方電磁弁に対する通電時の断面図である。
【００４２】
切換弁装置11は、電磁差圧切換式で四方弁機能を有し、第１の実施の形態と同様に冷媒回路12における冷房回路と暖房回路との切り換えに用いられる。
【００４３】
切換弁装置11は、弁本体20、この弁本体20に設置された三方電磁弁81および差圧切換弁82を備えている。
【００４４】
弁本体20および三方電磁弁81は、第１の実施の形態と同様に構成されている。
【００４５】
差圧切換弁82は、弁本体20の各開口部36，37に円筒状のガイド85，86が嵌合され、各ガイド85，86内には各弁座39，40に接離する弁体87，88を備えたプランジャ89，90が軸方向に移動可能に配置されている。これらプランジャ89，90は、弁体87，88のうちの一方が弁座39，40のうちの一方を閉じるときに弁体87，88のうちの他方が弁座39，40のうちの他方を開くように、流出通路38に貫通配置されたロッド91によって一体に移動するように連結されている。
【００４６】
各ガイド85，86の端部に固着部材92，93が固着され、各プランジャ89，90と固着部材92，93との間に、それぞれプランジャ89，90を弁座39，40へ向けて押圧する圧縮スプリング94，95が配置されている。
【００４７】
次に、第２の実施の形態の切換弁装置11の作用を説明する。
【００４８】
冷媒回路12で冷房回路を構成する場合には、図５に示すように、切換弁装置11の三方電磁弁81を非通電状態とする。
【００４９】
非通電状態の三方電磁弁81では、圧縮スプリング52の付勢により、一方の弁体45が弁座34に接触して閉止し、他方の弁体46が弁座35から離反して開放する。これにより、流入口25と一方の中間通路29との連通を遮断し、流入口25と他方の中間通路30とを連通する。
【００５０】
差圧切換弁82では、各流入出口27，28と流出口26との圧力差によって切り換わるため、圧縮機13の停止直後などの各流入出口27，28と流出口26との圧力差がある状態では前回の切換状態のままにあり、圧縮機13が一定時間以上停止していて各流入出口27，28と流出口との圧力差が無くなっている状態では圧縮スプリング94，95の付勢で切換状態が均衡した状態にある。
【００５１】
そして、圧縮機13の運転により、圧縮機13で圧縮された冷媒が、切換弁装置11の流入口25、他方の中間通路30および他方の流入出口28を通じて、図６に示すように室外機14、膨張弁15および室内機16の順に流れた後、切換弁装置11の一方の流入出口27、一方の中間通路29および流出口26を経て圧縮機13に戻るように循環する。
【００５２】
このとき、圧縮機13の吐出側に連通する他方の流入出口28が高圧で、圧縮機13の吸込側に連通する流出口26が低圧であるため、この圧力差により、差圧切換弁82の一方の弁体87が弁座39に吸着されて閉止し、それに伴って他方の弁体88が弁座40から離反して開放する。これにより、一方の中間通路29と流出口26とを連通し、他方の中間通路30と流出口26との連通を遮断する。
【００５３】
そのため、室外機14、膨張弁15および室内機16の順に流れた冷媒が、切換弁装置11の一方の流入出口27、一方の中間通路29および流出口26を経て圧縮機13に戻るように循環する。
【００５４】
また、冷媒回路12で暖房回路を構成する場合には、図８に示すように、切換弁装置11の三方電磁弁81に通電する。
【００５５】
通電状態の三方電磁弁81では、電磁コイル54の励磁により、圧縮スプリング52の付勢に抗してプランジャ47を固定鉄心50に吸着し、一方の弁体45が弁座34から離反して開放し、他方の弁体46が弁座35に接触して閉止する。これにより、流入口25と一方の中間通路29とを連通し、流入口25と他方の中間通路30との連通を遮断する。
【００５６】
差圧切換弁82では、各流入出口27，28と流出口26との圧力差によって切り換わるため、圧縮機13の停止直後などの各流入出口27，28と流出口26との圧力差がある状態では前回の切換状態のままにあり、圧縮機13が一定時間以上停止していて各流入出口27，28と流出口との圧力差が無くなっている状態では圧縮スプリング94，95の付勢で切換状態が均衡した状態にある。
【００５７】
そして、圧縮機13の運転により、圧縮機13で圧縮された冷媒が、切換弁装置11の流入口25、一方の中間通路29および一方の流入出口27を通じて、室内機16、膨張弁15および室外機14の順に流れた後（図６に示す破線矢印と逆方向に流れる）、切換弁装置11の他方の流入出口28、他方の中間通路30および流出口26を経て圧縮機13に戻るように循環する。
【００５８】
このとき、圧縮機13の吐出側に連通する一方の流入出口27が高圧で、圧縮機13の吸込側に連通する流出口26が低圧であるため、この圧力差により、差圧切換弁82の他方の弁体88が弁座40に吸着されて閉止し、それに伴って一方の弁体87が弁座39から離反して開放する。これにより、一方の中間通路29と流出口26との連通を遮断し、他方の中間通路30と流出口26とを連通する。
【００５９】
そのため、室内機16、膨張弁15および室外機14の順に流れた冷媒が、切換弁装置11の他方の流入出口28、他方の中間通路30および流出口26を経て圧縮機13に戻るように循環する。
【００６０】
このように、高圧側の１つの流入口25、２つの流入出口27，28および低圧側の１つの流出口26を有する弁本体20に、流入口25に対する２つの流入出口27，28の接続を切り換える三方電磁弁81と、低圧側の流出口26と２つの流入出口27，28のうちの流入口25に接続された高圧側との差圧によって、流出口26に対する２つの流入出口27，28の接続を切り換える差圧切換弁82とを設けることにより、四方弁機能を具備できるので、従来の四方弁に比べて小形にでき、高圧冷媒の取り扱いにも容易に対応できる。
【００６１】
高圧冷媒の流路を切り換える流入口25側の三方電磁弁81については、プランジャ47，48を介してロッド49で同軸上に連結されたボール体で構成される一対の弁体45，46を有し、これら弁体45，46のうちの一方が弁座34，35のうちの一方を開放するときに一対の弁体45，46のうちの他方が弁座34，35のうちの他方を閉止するので、閉止性能が高く、高圧冷媒の取り扱いに確実に対応できる。
【００６２】
しかも、第１の実施の形態のような第２の三方電磁弁22を用いないため、構造の簡素化および小形化がより図れ、省電力化も図ることができる。
【００６３】
なお、各実施の形態の切換弁装置11は、冷媒回路12に限らず、他の流体回路の四方弁としても用いることができる。
【図面の簡単な説明】
【００６４】
【図１】本発明の第１の実施の形態を示す切換弁装置の三方電磁弁に対する非通電時の断面図である。
【図２】同上切換弁装置における図１のＡ−Ａ断面図である。
【図３】同上切換弁装置における図１のＢ−Ｂ断面図である。
【図４】同上切換弁装置の三方電磁弁に対する通電時の断面図である。
【図５】本発明の第２の実施の形態を示す切換弁装置の三方電磁弁に対する非通電時の断面図である。
【図６】同上切換弁装置における図５のＣ−Ｃ断面図である。
【図７】同上切換弁装置における図５のＤ−Ｄ断面図である。
【図８】同上切換弁装置の三方電磁弁に対する通電時の断面図である。
【符号の説明】
【００６５】
11    切換弁装置
20    弁本体
21    第１の三方電磁弁
22    第２の三方電磁弁
25    流入口
26    流出口
27，28    流入出口
34，35，39，40    弁座
45，46，59，60    弁体
49，63    ロッド
81    三方電磁弁
82    差圧切換弁
【図１】
2007113617.tif 000003
【図２】
2007113617.tif 000004
【図３】
2007113617.tif 000005
【図４】
2007113617.tif 000006
【図５】
2007113617.tif 000007
【図６】
2007113617.tif 000008
【図７】
2007113617.tif 000009
【図８】
2007113617.tif 000010